(57)【特許請求の範囲】
【請求項１】
金属製の端子箱座と金属製の端子箱蓋とを有し、前記端子箱座の前記端子箱蓋との突き合わせ部に設けられた第１フランジ部と前記端子箱蓋の前記端子箱座との突き合わせ部に設けられた第２フランジ部とが、弾性および防水性を有する材料からなるパッキンを介して複数箇所で締結ネジにより固定されることで一体的に接続された端子箱であって、
前記第１フランジ部と前記第２フランジ部と前記パッキンとを前記パッキンの厚み方向において挟み込んで前記第１フランジ部と前記パッキンと前記第２フランジ部とを密着させて固定する固定部を、隣り合う前記締結ネジ間の領域に備え、
前記固定部は、
２つの分割体からなり、前記第１フランジ部と前記第２フランジ部と前記パッキンとを前記パッキンの厚み方向において挟み込む固定金具と、
前記２つの分割体を前記パッキンの厚み方向において締結する締結ネジと、
を備えること、
を特徴とする端子箱。
【請求項２】
前記端子箱座は、一体成形された第１金属板により構成され、
前記端子箱蓋は、一体成形された第２金属板により構成されていること、
を特徴とする請求項１に記載の端子箱。
【請求項３】
前記固定部は、隣り合う前記締結ネジ間における中央部分に配置されること、
を特徴とする請求項２に記載の端子箱。
【請求項４】
前記２つの分割体のうち一方と前記第１フランジ部とを固定する第１固定部と、
前記２つの分割体のうち他方と前記第２フランジ部とを固定する第２固定部と、
を有することを特徴とする請求項１から３のいずれか１つに記載の端子箱。
【発明の詳細な説明】
【技術分野】
【０００１】
本発明は、端子箱座と端子箱蓋と有してなる端子箱に関する。
【背景技術】
【０００２】
回転電機であるモータに取り付けられる回転電機用端子箱は、一般的に、端子箱座と端子箱蓋とに分割された構造を有する。そして、端子箱座の周縁に設けられたフランジ部と端子箱蓋のフランジ部とを締結ネジを用いて締結することにより、端子箱座と端子箱蓋とが一体的に接続されて回転電機用端子箱が構成されている。【０００３】
屋内用の回転電機用端子箱、すなわち屋内に配置される回転電機に取り付けられる回転電機用端子箱は、薄い鋼鈑製の端子箱が用いられる。一方、屋外用の回転電機用端子箱、すなわち屋外に配置される回転電機に取り付けられる回転電機用端子箱は、雨に曝されるため、端子箱座と端子箱蓋とを密閉して防水性能を有する防水構造が必要となる。そこで、回転電機用端子箱の防水構造として、特許文献１には、ターミナルボックスの本体とカバーとの間にゴムパッキンを介して締結ボルトで締付ける構造に於いて、カバーの周囲をＬ字状の形状とし、ターミナルボックス本体の接合面の側面側とこのカバーの周囲のＬ字状の部分とでゴムパッキンを挟むシール構造を有する回転電機のターミナルボックスが記載されている。【０００４】
ここで、回転電機用端子箱は薄い鋼鈑により構成されているため、ゴムパッキンと薄い鋼鈑との変形量の違いから、端子箱座と端子箱蓋とを締結ネジで締結した際に、端子箱のフランジ部と端子箱蓋のフランジ部との接合面の一部に隙間が生じる。すなわち、締結ネジによってゴムパッキンが圧縮された際に、締結ネジ付近のゴムパッキンは締結ネジの締結力により圧縮されている。しかしながら、締結ネジから離れた部分のゴムパッキンは圧縮されずに厚くなり、端子箱座のフランジ部と端子箱蓋のフランジ部とは、ゴムパッキンが圧縮した箇所を起点に変形する。これにより、端子箱のフランジ部と端子箱蓋のフランジ部との間の一部に隙間が生じる。【０００５】
しかし、鋼鈑の厚さを厚くした場合には、端子箱座および端子箱蓋のプレス加工が困難となる。このため、屋外用の防水回転電機用端子箱では、上記の隙間をなくすために、端子箱座および端子箱蓋の材料に鋳物を使用し、端子箱座のフランジ部と端子箱蓋のフランジ部との厚さを厚くすることによってそれぞれのフランジ部の剛性を高めてフランジ部の変形を防止する必要があった。
【先行技術文献】
【特許文献】
【０００６】
【特許文献１】特開平５−８３８９９号公報
【発明の概要】
【発明が解決しようとする課題】
【０００７】
しかしながら、鋳物の回転電機用端子箱は、鋼鈑製の回転電機用端子箱と比較して、価格が高く、製造期間が長いという問題があった。【０００８】
本発明は、上記に鑑みてなされたものであって、防水性能を有し、製造時間が短く安価な端子箱を得ることを目的とする。
【課題を解決するための手段】
【０００９】
上述した課題を解決し、目的を達成するために、本発明は、金属製の端子箱座と金属製の端子箱蓋とを有し、前記端子箱座の前記端子箱蓋との突き合わせ部に設けられた第１フランジ部と前記端子箱蓋の前記端子箱座との突き合わせ部に設けられた第２フランジ部とが、弾性および防水性を有する材料からなるパッキンを介して複数箇所で締結ネジにより固定されることで一体的に接続された端子箱であって、前記第１フランジ部と前記第２フランジ部と前記パッキンとを前記パッキンの厚み方向において挟み込んで前記第１フランジ部と前記パッキンと前記第２フランジ部とを密着させて固定する固定部を、隣り合う前記締結ネジ間の領域に備え、前記固定部は、２つの分割体からなり、前記第１フランジ部と前記第２フランジ部と前記パッキンとを前記パッキンの厚み方向において挟み込む固定金具と、前記２つの分割体を前記パッキンの厚み方向において締結する締結ネジと、を備えること、を特徴とする。
【発明の効果】
【００１０】
本発明にかかる端子箱は、防水性能を有し、製造時間が短く安価な端子箱が得られるという効果を奏する。
【図面の簡単な説明】
【００１１】
【図１】本発明の実施の形態にかかる回転電機用端子箱が電動機に付設された状態を示す側面図
【図２】本発明の実施の形態にかかる回転電機用端子箱の上面図
【図３】本発明の実施の形態にかかる回転電機用端子箱の側面図であり、図２における矢視Ａの方向から見た図
【図４】本発明の実施の形態にかかる回転電機用端子箱の構造を示す断面図であり、図２の線分Ｂ−Ｂにおける断面図
【図５】本発明の実施の形態にかかる回転電機用端子箱の固定部の構造を示す要部断面図であり、図２の線分Ｃ−Ｃにおける要部断面図
【図６】本発明の実施の形態にかかる回転電機用端子箱における端子箱座と端子箱蓋との接合状態を模式的に示す要部断面図
【図７】本発明の実施の形態にかかる固定部を備えない比較例の回転電機用端子箱における端子箱座と端子箱蓋との接合状態を模式的に示す要部断面図
【発明を実施するための形態】
【００１２】
以下に、本発明の実施の形態にかかる端子箱を図面に基づいて詳細に説明する。なお、この実施の形態によりこの発明が限定されるものではない。また、以下に示す図面においては、理解の容易のため、各部材の縮尺が実際とは異なる場合がある。各図面間においても同様である。
【００１３】
実施の形態
図１は、本発明の実施の形態にかかる端子箱である回転電機用端子箱１が回転電機本体である電動機２に付設された状態を示す側面図である。図２は、本発明の実施の形態にかかる回転電機用端子箱１の上面図である。図３は、本発明の実施の形態にかかる回転電機用端子箱１の側面図であり、図２における矢視Ａの方向から見た図である。図４は、本発明の実施の形態にかかる回転電機用端子箱１の構造を示す断面図であり、図２の線分Ｂ−Ｂにおける断面図である。図５は、本発明の実施の形態にかかる回転電機用端子箱１の固定部の構造を示す要部断面図であり、図２の線分Ｃ−Ｃにおける要部断面図である。
【００１４】
電動機２は、屋外に配置されて使用される。したがって、電動機２に付設される本実施の形態にかかる回転電機用端子箱１は、屋外用の回転電機用端子箱である。回転電機用端子箱１は、電動機２の上部に設けられた保持部２ａに取り付けられる。回転電機用端子箱１は、上方から見た形状が長方形状を呈する直方体形状に形成されている。
【００１５】
回転電機用端子箱１は、図１に示すように、一側面の対角線に沿う面で分割されて分割面が開口された一対の端子箱座１０と端子箱蓋２０とを有する。端子箱座１０と端子箱蓋２０とは、一般に屋内用の回転電機用端子箱に用いられる端子箱座および端子箱蓋と同様に、それぞれ金属板をプレス成形することにより一体成形されている。金属板の一例としては鋼鈑が挙げられるが、鋼鈑以外の金属材料を用いてもよい。鋼鈑の厚みは特に限定されないが、プレス成形可能な厚みとされる。
【００１６】
端子箱座１０は、端子箱蓋２０との突き合わせ部の周囲に、第１フランジ部１１が形成されている。また、端子箱蓋２０は、端子箱座１０との突き合わせ部の周囲に第２フランジ部２１が形成されている。そして、端子箱座１０の第１フランジ部１１と端子箱蓋２０の第２フランジ部２１とは、端子箱座１０と端子箱蓋２０とが接合されて回転電機用端子箱１を構成した際に、互いに対向する位置に形成されている。したがって、端子箱座１０の第１フランジ部１１と端子箱蓋２０の第２フランジ部２１とは、共に長方形状に形成されている。
【００１７】
回転電機用端子箱１は、弾性および防水性を有する材料からなるパッキン３０を介して対向して配置された端子箱座１０の第１フランジ部１１と端子箱蓋２０の第２フランジ部２１の複数箇所を締結ネジ４０で固定することによって一体的に接続される。すなわち、第１フランジ部１１と第２フランジ部２１は、締結ネジ４０で締結されることで、パッキン３０を挟んで固定される。本実施の形態では、締結ネジ４０としてのボルトが、パッキン３０を介して対向する第１フランジ部１１と第２フランジ部２１との長方形状において四隅の位置に設けられる。
【００１８】
弾性および防水性を有する材料からなるパッキン３０の一例としては、ゴム材料からなるゴムパッキンが挙げられる。ただし、パッキン３０の材料はゴム材料に限定されず、弾性および防水性を有し、回転電機用端子箱１において第１フランジ部１１と第２フランジ部２１との間を密閉できれば、他の材料を用いることも可能である。パッキン３０は、第１フランジ部１１と第２フランジ部２１との接合面である上面および下面が平坦なリング状の形状を有する。
【００１９】
また、回転電機用端子箱１は、隣り合う２つの締結ネジ４０間に固定部を備える。固定部は、パッキン３０を挟んで対向する第１フランジ部１１と第２フランジ部２１とをパッキン３０の厚み方向において挟み込んで、第１フランジ部１１とパッキン３０、および第２フランジ部２１とパッキン３０とを密着させた状態で固定する。
【００２０】
固定部は、２つの分割体からなる固定金具５０を締結ネジ６０により締結することにより構成される。固定金具５０は、２つの分割体である第１固定金具５１と第２固定金具５２とにより構成される。第１固定金具５１は、端子箱座１０の第１フランジ部１１を、該第１フランジ部１１におけるパッキンとの接合面１２に対向する第１フランジ部の下面１３側から挟む固定金具である。第２固定金具５２は、端子箱蓋２０の第２フランジ部２１を、該第２フランジ部２１におけるパッキンとの接合面２２に対向する第２フランジ部の上面２３側から挟む固定金具である。
【００２１】
第１固定金具５１および第２固定金具５２は、同一形状を有する。第１固定金具５１は、直方体形状の金属部材における面積の広い第１主面の中央領域に、一本の溝状の凹部５１ａが形成された形状を有する。第２固定金具５２は、直方体形状の金属部材における面積の広い第１主面の中央領域に、一本の溝状の凹部５２ａが形成された形状を有する。すなわち、第１固定金具５１および第２固定金具５２は、図２の線分Ｃ−Ｃにおける断面形状が図５に示すようにＵ形状の断面形状を有する。なお、第１固定金具５１および第２固定金具５２は、同一形状でなくてもよい。
【００２２】
第１固定金具５１において、溝状の凹部５１ａを挟んで対向するＵ形状の一端側の端面である一端面５１ｂは平坦面とされ、第１フランジ部の下面１３と当接して配置される。第２固定金具５２において、溝状の凹部５２ａを挟んで対向するＵ形状の一端側の端面である一端面５２ｂは平坦面とされ、第２フランジ部の上面２３と当接して配置される。また、第１フランジ部の下面１３および第２フランジ部の上面２３も平坦面とされている。したがって、一端面５１ｂは、安定して第１フランジ部の下面１３に当接できる。一端面５２ｂは、安定して第２フランジ部の上面２３に当接できる。
【００２３】
同様に、第１固定金具５１において、溝状の凹部５１ａを挟んで対向するＵ形状の他端側の端面である他端面５１ｃは平坦面とされる。また、第２固定金具５２において、溝状の凹部５２ａを挟んで対向するＵ形状の他端側の端面である他端面５２ｃは平坦面とされる。そして、第１固定金具５１と第２固定金具５２とは、第１固定金具５１の他端面５１ｃと第２固定金具５２の他端面５２ｃとを当接させて、それぞれの凹部を対向させた状態で配置される。
【００２４】
第１固定金具５１と第２固定金具５２とは、図５に示すように端子箱座１０の第１フランジ部１１と端子箱蓋２０の第２フランジ部２１とを、パッキン３０を介して該パッキン３０の厚み方向において挟持した状態で締結ネジ６０により固定される。締結ネジ６０は、第２固定金具５２において第１主面と対向する第２主面５２ｄから凹部５２ａの底部に貫通して、第２固定金具５１の凹部５２ａおよび第１固定金具５１の凹部５１ａを介して第１固定金具５１における凹部５１ａの底部の内部まで達する。締結ネジ６０を締めることによって、隣り合う締結ネジ４０間における端子箱座１０の第１フランジ部１１と端子箱蓋２０の第２フランジ部２１との鋼鈑の湾曲を防止し、第１フランジ部１１と第２フランジ部２１とを平行な状態に保持できる。ここでは締結ネジ６０としてボルトを用いている。
【００２５】
第１固定金具５１における一端面５１ｂおよび他端面５１ｃの高さと、第２固定金具５２における一端面５２ｂおよび他端面５２ｃの高さとは、締結ネジ６０を既定の深さ位置まで締めた際に、第１フランジ部１１と第２フランジ部２１とを平行な状態に保持できる高さに調整される。
【００２６】
また、固定部は、端子箱座１０および端子箱蓋２０に溶接固定されている。すなわち、第１固定金具５１は、端子箱座１０の第１フランジ部の下面１３と溶接部５３で溶接固定されている。また、第２固定金具５２は、端子箱蓋２０の第２フランジ部の上面２３と溶接部５４で溶接固定されている。これにより、固定金具５０は、端子箱座１０および端子箱蓋２０に確実に接合され、振動等の外部要因により外れることが防止されている。また、固定金具５０を端子箱座１０および端子箱蓋２０のフランジ部に固定するために、締結ネジ６０以外の部材を使用する必要がなく、固定部の部品点数の削減および組み立て時の構成部材の紛失を防ぐことができる。なお、第１固定金具５１および第２固定金具５２の溶接箇所は図５に示される部分に限定されない。
【００２７】
第１固定金具５１および第２固定金具５２は、回転電機用端子箱１が電動機２の保持部２ａに取り付けられる前に、端子箱座１０の第１フランジ部１１と端子箱蓋２０の第２フランジ部２１とにそれぞれ溶接される。すなわち、回転電機用端子箱１の組み立てにおいては、まず、第１固定金具５１が、端子箱座１０の第１フランジ部１１の既定の位置に溶接される。また、第２固定金具５２が、端子箱蓋２０の第２フランジ部２１の既定の位置に溶接される。つぎに、第１固定金具５１が溶接された端子箱座１０が電動機２の保持部２ａに取り付けられる。つぎに、端子箱座１０の内部に既定の部品を収納し、電動機２からの電気配線の接続処理を行った後、端子箱座１０の第１フランジ部１１と端子箱蓋２０の第２フランジ部２１との間にパッキン３０を挟み込んで端子箱蓋２０を配置する。そして、締結ネジ４０で端子箱座１０の第１フランジ部１１と端子箱蓋２０の第２フランジ部２１とを締め付けて、端子箱座１０と端子箱蓋２０とを固定する。その後、固定部の締結ネジ６０を締める。これにより、本実施の形態にかかる回転電機用端子箱１を形成することができる。
【００２８】
図６は、本実施の形態にかかる回転電機用端子箱１における端子箱座１０と端子箱蓋２０との接合状態を模式的に示す要部断面図である。図６では、パッキン３０を介して端子箱座１０の第１フランジ部１１と端子箱蓋２０の第２フランジ部２１とが締結された状態を模式的に示しており、固定部を介して隣り合う締結ネジ４０の中心軸間のフランジ部の状態を示している。なお、固定部の位置を示すために、固定部を合わせて記載している。また、本実施の形態において固定部を挟んで隣り合う締結ネジ４０間のフランジ部は、該フランジ部の延在方向において緩やかに湾曲しているが、図６では、フランジ部が直線状に設けられていると仮定して示している。
【００２９】
図６に示すように、回転電機用端子箱１では、パッキン３０を介して端子箱座１０の第１フランジ部１１と端子箱蓋２０の第２フランジ部２１とが締結ネジ４０によって締め付けられる。また、隣り合う締結ネジ４０の間の領域では、パッキン３０を介して端子箱座１０の第１フランジ部１１と端子箱蓋２０の第２フランジ部２１とが、固定部によって締め付けられる。これにより、隣り合う締結ネジ４０の間の領域の第１フランジ部１１と第２フランジ部２１との鋼鈑の湾曲を防止して、第１フランジ部１１と第２フランジ部２１とを平行な状態に保持し、第１フランジ部１１と第２フランジ部２１とをパッキン３０を介して密着接合することができる。
【００３０】
パッキン３０は、該パッキン３０の延在方向の全ての領域、すなわち全周において、第１フランジ部１１と第２フランジ部２１とにより圧縮されて厚みが等しくなる。これにより、第１フランジ部１１とパッキン３０との間と、第２フランジ部２１とパッキン３０との間との両方において、隙間が発生しない。すなわち、パッキン３０における第１フランジ部１１に対向する面の全面が、第１フランジ部１１に密着する。また、パッキン３０は該パッキン３０の延在方向の全ての領域においてパッキン３０における第２フランジ部２１に対向する面の全面が、第２フランジ部２１に密着する。
【００３１】
これにより、本実施の形態にかかる回転電機用端子箱１においては、隣り合う締結ネジ４０の間の領域においても、端子箱座１０の第１フランジ部１１とパッキン３０との間と端子箱蓋２０の第２フランジ部２１とパッキン３０との間との両方において隙間を発生させることなく密閉して、鋼板製の端子箱座１０および端子箱蓋２０を用いて回転電機用端子箱１の防水構造を実現することができる。
【００３２】
端子箱座１０の第１フランジ部１１とパッキン３０との間と端子箱蓋２０の第２フランジ部２１とパッキン３０との間との両方において隙間を発生させることなく密閉するために、上記の隣り合う締結ネジ４０の間の領域も締結ネジ４０で締結することが考えられる。しかしながら、この場合には、端子箱座１０の第１フランジ部１１と端子箱蓋２０の第２フランジ部２１に締結ネジ４０による締結用の溝穴を増やす必要が生じ、加工工数および加工コストが増加する。
【００３３】
本実施の形態にかかる回転電機用端子箱１は、固定金具５０を締結ネジ６０により締結する固定部を備えるため、端子箱座１０と端子箱蓋２０とを固定する必要最小限の締結ネジ４０で端子箱座１０と端子箱蓋２０とを締結すればよく、締結ネジ４０による締結箇所を増やす必要がない。したがって、第１フランジ部１１と端子箱蓋２０の第２フランジ部２１における締結ネジ４０による締結用の溝穴を増やす必要がなく、少ない加工工数および加工コストが実現できる。
【００３４】
また、屋内用の回転電機用端子箱は、防水機構が要求されずパッキンが不要なため、端子箱座１０と端子箱蓋２０とを固定する必要最小限の締結ネジ４０で端子箱座１０と端子箱蓋２０とを締結すればよい。本実施の形態にかかる回転電機用端子箱１は、固定部を備えるため、締結ネジ４０による締結箇所を増やす必要がなく、鋼板製の屋内用の回転電機用端子箱をそのまま用いることができ、屋内用の回転電機用端子箱と共用が可能である。
【００３５】
また、本実施の形態にかかる回転電機用端子箱１は、端子箱座１０と端子箱蓋２０とを鋳物により構成する必要がないため、防水性能を有する回転電機用端子箱を安価に、短い製造期間で実現することができる。なお、ここでは、回転電機に付設される端子箱について説明しているが、回転電機用端子箱１と同様に屋外で使用される他の電気機器に付設される端子箱に上述した固定部を適用することも可能である。
【００３６】
図７は、本実施の形態にかかる固定部を備えない比較例の回転電機用端子箱における端子箱座と端子箱蓋との接合状態を模式的に示す要部断面図である。比較例の回転電機用端子箱は、固定部を備えないこと以外は、本実施の形態にかかる回転電機用端子箱１と同じ構造を有する。すなわち、比較例の回転電機用端子箱は、パッキンを介して対向する長方形状のフランジ部の四隅の位置に設けられた締結ネジのみで端子箱座と端子箱蓋とが締結されている。なお、図７においても、隣り合う締結ネジの中心軸間のフランジ部が直線状に設けられていると仮定して示している。また、図７においては、本実施の形態にかかる回転電機用端子箱１と同じ部材について、図６と同じ符号を付している。
【００３７】
比較例の回転電機用端子箱では、パッキン３０を介して端子箱座１０の第１フランジ部１１と端子箱蓋２０の第２フランジ部２１とが締結ネジ４０によって締め付けられることで、締結ネジ４０の近傍では、第１フランジ部１１とパッキン３０との間と、第２フランジ部２１とパッキン３０との間との両方においてパッキン３０が圧縮されて、第１フランジ部１１とパッキン３０との間および第２フランジ部２１とパッキン３０との間において、隙間は発生しない。しかし、隣り合う締結ネジ４０の間の中央部分では、第１フランジ部１１とパッキン３０との間と、第２フランジ部２１とパッキン３０との間との両方において隙間１００が発生する。
【００３８】
すなわち、パッキン３０における締結ネジ４０に近い部分は、締結ネジ４０の締め付け力により、第１フランジ部１１と第２フランジ部２１との間で圧縮されて薄くなる。しかし、パッキン３０における締結ネジ４０から離れた部分、すなわち隣り合う締結ネジ４０の間の中央付近のパッキン３０は、締結ネジ４０の締め付け力による圧縮を受けないので薄くならない。そして、鋼鈑をプレス加工して形成される端子箱座１０の第１フランジ部１１と端子箱蓋２０の第２フランジ部２１とは、鋼鈑の厚みが薄く、機械的強度が小さい。このため、薄い鋼鈑からなる第１フランジ部１１および第２フランジ部２１は、パッキン３０が圧縮されて薄くなっている箇所を起点に凸状に湾曲する。これにより、端子箱座１０の第１フランジ部１１とパッキン３０との間と、端子箱蓋２０の第２フランジ部２１とパッキン３０との間との両方において、一部に隙間が発生する。
【００３９】
なお、上記においては、隣り合う締結ネジ４０の間の中央部分に固定部を設ける場合について説明したが、隣り合う締結ネジ４０の間の距離、パッキン３０の弾性力等の諸条件により、隣り合う締結ネジ４０の間の複数位置に固定部を設けてもよい。
【００４０】
また、上記においては、回転電機用端子箱１の一側面の対角線に沿う面で分割された端子箱座１０と端子箱蓋２０とについて説明したが、回転電機用端子箱１の分割方法はこれに限定されない。端子箱座１０と端子箱蓋２０との他の例として、回転電機用端子箱１が水平方向に分割されて端子箱座と端子箱蓋とが構成される形態としてもよい。
【００４１】
上述したように、本実施の形態にかかる回転電機用端子箱１においては、パッキン３０を介して端子箱座１０の第１フランジ部１１と端子箱蓋２０の第２フランジ部２１とが締結ネジ４０によって締め付けられる。さらに、隣り合う締結ネジ４０の間の領域では、パッキン３０を介して端子箱座１０の第１フランジ部１１と端子箱蓋２０の第２フランジ部２１とが、固定部によって締め付けられる。このような構成により、本実施の形態にかかる回転電機用端子箱１では、隣り合う締結ネジ４０の間の領域の第１フランジ部１１と第２フランジ部２１との鋼鈑の、パッキン３０の反発力に起因した湾曲を防止して、第１フランジ部１１と第２フランジ部２１とを平行な状態に保持し、第１フランジ部１１と第２フランジ部２１とをパッキン３０を介して密着接合することができる。
【００４２】
これにより、本実施の形態にかかる回転電機用端子箱１においては、隣り合う締結ボルトの間の領域においても、端子箱座１０の第１フランジ部１１とパッキン３０との間と端子箱蓋２０の第２フランジ部２１とパッキン３０との間との両方において隙間を発生させることなく密閉することができる。すなわち、鋼板製の端子箱座１０および端子箱蓋２０を用いて回転電機用端子箱１の防水構造を実現することができる。したがって、本実施の形態にかかる回転電機用端子箱１によれば、価格の安く、加工時間の短い鋼板製の端子箱座１０および端子箱蓋２０を用いることにより、防水性能を有し、製造時間が短く安価な回転電機用端子箱を実現できる。
【００４３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４４】
１  回転電機用端子箱、２  電動機、２ａ  保持部、１０  端子箱座、１１  第１フランジ部、１２  パッキンとの接合面、１３  第１フランジ部の下面、２０  端子箱蓋、２１  第２フランジ部、２２  パッキンとの接合面、２３  第２フランジ部の上面、３０  パッキン、４０  締結ネジ、５０  固定金具、５１  第１固定金具、５１ａ  凹部、５１ｂ  一端面、５１ｃ  他端面、５２  第２固定金具、５２ａ  凹部、５２ｂ  一端面、５２ｃ  他端面、５２ｄ  第２主面、５３  溶接部、５４  溶接部、６０  締結ネジ、１００  隙間。
【要約】
金属製の端子箱座１０と金属製の端子箱蓋２０とを有し、前記端子箱座１０の前記端子箱蓋２０との突き合わせ部に設けられた第１フランジ部１１と前記端子箱蓋２０の前記端子箱座１０との突き合わせ部に設けられた第２フランジ部２１とが、弾性および防水性を有する材料からなるパッキン３０を介して複数箇所で締結ネジにより固定されることで一体的に接続された端子箱であって、前記第１フランジ部１１と前記第２フランジ部２１と前記パッキン３０とを前記パッキン３０の厚み方向において挟み込んで前記第１フランジ部１１と前記パッキン３０と前記第２フランジ部２１とを密着させて固定する固定部を、隣り合う前記締結ネジ間の領域に備える。【図１】
0005916960.tif 000002
【図２】
0005916960.tif 000003
【図３】
0005916960.tif 000004
【図４】
0005916960.tif 000005
【図５】
0005916960.tif 000006
【図６】
0005916960.tif 000007
【図７】
0005916960.tif 000008